Podtech/llm-jp-corpus-v4-ja_patent huggingface dataset:
(57)【要約】【課題】本考案は、電動モーター１００Ｖ使用し、油圧ホンプを回しシリンダーに油圧を掛けシリンダーを伸び縮みでシャンプーパンを昇降させ犬を洗いやすい高さに調整でき乾燥までお年寄りでも簡単に得る【解決手段】シャンプーパンの中でシャンプーと乾燥を同じ場所で出きる様にした又、電動モーター１００Ｖを使用し油圧ポンプを回しシリンダーに油圧を送りシリンダーでシャンプーパンの高さを自由に調整でき、腰に負担を掛けずに犬を洗えることが出来る【選択図】　　図８
0003099154.tif 000002
【実用新案登録請求の範囲】
【請求項１】
電動モーター（３）１００ボルト使用（４）油圧ポンプで（５）シリンダーに油圧をかけ（１３）シャンプーパンを昇降させるドックシャンプーユニット。
【請求項２】
洗っている人に水飛沫がかからないように（１３）シャンプーパンをビニールで覆い（１６）ホロ状にし、また、手を入れられるようにビニールの両側に開口部（１７）を設け二重ののれん状にしたドックシャンプーユニット。
【請求項３】
送風機を使い暖房用石油ファンヒーターの熱風をフレキダクトホースで部分的、かつ簡単に犬を乾燥させるドックシャンプーユニット。
【考案の詳細な説明】
【０００１】
【考案の属する技術分野】
本考案は犬のシャンプーをする時、１００ボルト電動モーター（５）を使い油圧ポン
プを回し油圧をシリンダーに送り（１３）シャンプーパンを上げ犬を洗いやす
い高さで洗い乾燥する装置である。
【０００２】
【従来の技術】
従来の犬用シャンプーユニットは、深い水槽の中に犬を入れ、上から中腰で
洗わなければならなかった。また、乾燥は別の乾燥ルームで行うため、場所
を必要とし面倒である。
【０００３】
【考案が解決しようとする課題】
従来のドッグバス、ドライヤーユニットは、深い水槽の中に犬を入れ中腰で
洗い、犬が水飛沫をあげるとき水がかかった。また、乾燥は乾燥ルームへ移
動するという問題点があった。
【０００４】
また、洗う水槽と乾燥ルームが別の為、一般家庭または店舗、ペットショッ
プなどに設置するときは広い場所が必要という問題点があった。
【０００５】
【課題を解決するための手段】
上記の目的を達成するため、本考案はシャンプーパンの上でシャンプーと乾燥を同じ場所でできるようにした。また、１００ボルト電動モーターで油圧ポンプを回しシリンダーに油圧を送りシャンプーパンの高さを自由に調節でき、腰に負担をかけずに犬を洗えるようにした。
【０００６】
しかし、犬が動くので重心のバランスが悪くなりシャンプーパンの昇降にも影響。このため犬が飛び降りてしまうのでＸ型フレーム（２）の中心に主軸を取りつけバランス良く昇降できるようにした。
【０００７】
シャンプーパンが上がったとき横揺れが生じる。このため、Ｘ型フレーム（２）の下の部分にスライドレール（１２）を取付け安定した昇降ができるようにした。
【０００８】
シャンプーパン上げスイッチ（１８）を押し、洗う位置の高さでスイッチを離すと逆止弁（１０）が働き高さを保つ。
【０００９】
洗い、乾燥が終わりシャンプーパン下げスイッチ（１８）を押すとシャンプーパ
ンは下がり
【図５】状態になる。
【００１０】
【考案の実施の形態】
考案の実施の形態を実施例に基づき図面を参照して説明。
図１シャンプユニットの下のベース平面である。図２は断面である。
【００１１】
図３シャンプーパンの下の装置を説明する。ベース（１）にＸ型フレーム（２）を蝶番（３）を取付ける。両側のＸ型フレームの中心に軸を固定、シリンダー（７）をベース（１）とＸ型フレーム軸（４）の間に取付ける。１００Ｖ電動モーター（５）で油圧ポンプ（６）を回転させ、シリンダーに圧力を掛けＸ型フレーム軸を押上げシャンプーパンを上げる仕組みである。
【００１２】
図４同上断面図である。
【００１３】
図５同上にシャンプーパンとホロを乗せた状態である。
【００１４】
図６シリンダーが伸びＸ型フレームが縮んだ状態である。
【００１５】
図７同上にシャンプーパンを乗せた状態での断面図である。
【００１６】
図８犬を洗う高さにした状態の断面図である。
【００１７】
【考案の効果】
本考案は、以上説明したように構成されているので、次に記載されるような効果を奏する。
【００１８】
請求項１のドッグシャンプーユニットにおいては、Ｘ型フレームでシャンプーパンにかかる荷重を均等にすることで、シャンプーパンの昇降がスムーズになり犬を静かに乗せることができる。
【００１９】
請求項２のドッグシャンプーユニットにおいては、シャンプーパンにビニールでホロ状にし、開口部に二重ののれんを設けたので、水飛沫がかからない。
【００２０】
請求項３のドッグシャンプーユニットにおいては、犬の乾燥にフレキダクトホースを使うので、部分的に熱風をあてることができ、むらなく乾燥ができる。
【図面の簡単な説明】
【図１】ベースの平面
【図２】同上の断面
【図３】昇降装置の平面
【図４】同上の断面
【図５】昇降装置にシャンプーパンとホロを取付けた断面
【図６】シャンプーパンを上げたときの昇降装置の平面
【図７】シャンプーパンを上げたときの昇降装置の断面
【図８】ホロを取付けたシャンプーパンを上げたときの断面
【符号の説明】
１　ベース
２　Ｘフレーム
３　蝶番
４　Ｘフレーム軸
５　電動モーター
６　油圧ポンプ
７　シリンダー
８　油圧タンク
９　電動弁
１０　逆止弁
１１　耐圧ホース
１２　スライドレール
１３　車
１４　シャンプーバス
１５　ホロポール
１６　ビニールホロ
１７　ビニール二重すだれ状水切り
１８　昇降用スイッチ
【図１】
0003099154.tif 000003
【図２】
0003099154.tif 000004
【図３】
0003099154.tif 000005
【図４】
0003099154.tif 000006
【図５】
0003099154.tif 000007
【図６】
0003099154.tif 000008
【図７】
0003099154.tif 000009
【図８】
0003099154.tif 000010
(57)【要約】【課題】ドア枠の戸当部分の加工が簡単であるとともに、クッション材の形状も簡単にできるドア構造を提供すること。【解決手段】ドア枠１とドア本体２とからなるドア構造において、ドア枠１の戸当部分１ａを平板状に形成し、戸当部分１ａ又は戸当部分１ａに当接するドア本体２にクッション材３を取り付けた。クッション材３は係止ピン４を備え、この係止ピン４により着脱可能に取り付けられている。【選択図】　　図１
0003099152.tif 000002
【実用新案登録請求の範囲】
【請求項１】
ドア枠とドア本体とからなるドア構造において、ドア枠の戸当部分を平板状に形成し、前記戸当部分又は前記戸当部分に当接するドア本体にクッション材を取り付けたことを特徴とするドア構造。
【請求項２】
前記クッション材は係止ピンを備え、この係止ピンにより着脱可能に取り付けられている請求項１に記載のドア構造。
【請求項３】
ドア枠は、上下左右の４枚の枠板を接合して形成されており、各枠板は、Ｌ字状のコーナー部材によって接合されている請求項１又は２に記載のドア構造。
【考案の詳細な説明】
【０００１】
【考案の属する技術分野】
本考案は、戸当部分にクッション材を備えたドア構造に関する。
【０００２】
【従来の技術】
ドアを勢いよく閉めた際、あるいはドアが強風によって急激に閉まる際の音を小さくしたり、ドア本体の損傷を防止したりするために、従来より、ドア枠の戸当部分にクッション材を取り付けたドア構造が広く採用されている。
【０００３】
図５は、従来の典型的なドア構造の要部を示す横断面図である。同図に示すように、従来のドア構造においては、ドア枠１の戸当部分１ａにクッション材３を取り付けるために、戸当部分１ａは凹状に形成されている。しかし、このように戸当部分１ａを凹状に形成するためには、折り曲げ加工を何回も行うなどの複雑な加工が必要であり、手間とコストが掛かるという問題があった。
【０００４】
また、従来のドア構造では、クッション材３を凹状の戸当部分１ａに取り付けるために、クッション材３に係合舌片３ａを設けており、クッション材３も複雑な形状となっているため、一般的なクッション材は使用できないという問題もあった。
【０００５】
【考案が解決しようとする課題】
本考案が解決しようとする課題は、ドア枠の戸当部分の加工が簡単であるとともに、クッション材の形状も簡単にできるドア構造を提供することにある。
【０００６】
【課題を解決するための手段】
本考案は、ドア枠とドア本体とからなるドア構造において、ドア枠の戸当部分を平板状に形成し、前記戸当部分又は前記戸当部分に当接するドア本体にクッション材を取り付けたことを特徴とする。
【０００７】
本考案において、クッション材は係止ピンを備え、この係止ピンにより着脱可能に取り付けることができる。
【０００８】
また、ドア枠は、上下左右の４枚の枠板を接合して形成することができ、この際、各枠板は、Ｌ字状のコーナー部材によって接合する。
【０００９】
【考案の実施の形態】
以下、図面に示す実施例に基づき本考案の実施の形態を説明する。
【００１０】
図１は、本考案のドア構造の要部を示す横断面図である。図２は、クッション材の取り付け部分の斜視図、図３は図２の反対側から見た分解斜視図である。
【００１１】
各図に示すドア枠１は、ドア本体２を取り付ける開口部の周縁に取り付けられている。ドア枠１の戸当部分１ａは、従来のように凹状ではなく平板状に形成されている。そして、戸当部分１ａには、中空のクッション材３が取り付けられている。
【００１２】
クッション材３は、その底面部３ａに係止ピン４を備えており、この係止ピン４の先端部４ａを戸当部分１ａに形成した係止孔１ｂに嵌入することによって、クッション材３が戸当部分１ａに着脱可能に取り付けられている。係止ピン４は、その基端部４ｂをクッション材の底面部３ｂに形成した係止孔３ｃに挿入することによって、クッション材３に取り付けられている。
【００１３】
図４は、ドア枠１を構成する枠板の接合構造を示す説明図である。ドア枠１は、上下左右の４枚の枠板を接合することによって形成されている。なお、図４では説明の便宜上、枠板５ａ，枠板５ｂのみを示している。
【００１４】
図４に示すように枠板５ａ，５ｂの接合にはＬ字状のコーナー部材６を使用する。コーナー部材６の端部には、係合突起６ａが設けられており、この係合突起６ａを枠板５ａ，５ｂの端部の係合凹部５ａ−１，５ｂ−１に差し込み嵌合させることによって、枠板５ａと枠板５ｂとが接合される。同様の要領で、他の枠材もコーナー部材を使用して差し込み式で接合することにより、矩形状のドア枠を形成する。
【００１５】
以上の実施例では、ドア枠１の戸当部分１ａにクッション材を取り付けるようにしたが、ドア本体２の戸当部分１ａと当接する部分にクッション材を取り付けるようにしてもよい。
【００１６】
【考案の効果】
本考案によれば、ドア枠の戸当部分が平板状であるので、その加工が簡単である。また、クッション材は、平板状の戸当部分又は戸当部分と当接するドア本体に取り付けるだけであるので、その形状を簡単にできる。
【図面の簡単な説明】
【図１】本考案のドア構造の要部を示す横断面図である。
【図２】クッション材の取り付け部分の斜視図である。
【図３】図２の反対側から見た分解斜視図である。
【図４】ドア枠を構成する枠板の接合構造を示す説明図である。
【図５】従来の典型的なドア構造の要部を示す横断面図である。
【符号の説明】
１：ドア枠
１ａ：戸当部分枠板
２：ドア本体
３：クッション材
３ａ：係合舌片
３ｂ：底面部
３ｃ：係止孔
４：係合ピン
４ａ：先端部
４ｂ：基端部
５ａ、５ｂ：枠板
５ａ−１，５ｂ−１：係合凹部
６：コーナー部材
６ａ：係合凸部
【図１】
0003099152.tif 000003
【図２】
0003099152.tif 000004
【図３】
0003099152.tif 000005
【図４】
0003099152.tif 000006
【図５】
0003099152.tif 000007
(57)【要約】
【課題】古く囲炉裏で使われていた自在かぎを、軽量コンパクトに加工しキャンプや飯盒炊飯等に、簡単に安定した姿勢に立設できる携帯用自在かぎを提供する。
【解決方法】天上のプレート（１）下部に３つの支持金具（２）と中央に吊り下げフック（３）を設け、高さ調整ピン（５）と伸縮パイプ（６）を備えた支持棒（４）３本で三脚を構成し、自在かぎ（７）を吊り下げフック（３）に吊り下げたことを特徴とする。
【選択図】図２
0003099171.tif 000002
【実用新案登録請求の範囲】
【請求項１】
本体天上のプレート（１）に３つの支持金具（２）と吊り下げフック（３）を設け、伸縮パイプ（６）と高さ調整ピン（５）を装備した支持棒（４）を三脚状に支持金具（２）に取り付け、自在かぎ（７）を吊り下げフック（３）に装着し、軽量折り畳み可能、伸縮自在であることを特徴とする携帯用自在かぎ。
【考案の詳細な説明】
【考案の詳細な説明】
【技術分野】
【０００１】　この考案は、自在かぎと三脚を軽量伸縮自在折り畳み可能にして、携帯性を持たせて、使用時に簡単に立設することが出来る携帯用自在かぎに関する。
【背景技術】
【０００２】　従来よりキャンプや野営飯盒炊飯等には、バーベキューコンロや二股支持脚に連結棒を装備したコンロ等が用いられ、自在かぎを使用した吊り下げ式の物は無かった。【０００３】
【特許文献１】　登録実用新案第３０２４５８１号
【考案が解決しようとする課題】
【０００４】　これは、次のような欠点があった。
　（イ）　傾斜地や砂利地のような場所での立設は困難であった。
　（ロ）　固定式コンロでは、火力調節が困難で焦げたり、半煮え状態の原因になる事が多い。
　（ハ）　コンロは重く、かさばり、携帯性が無く、非常に不便であった。
　本考案は、以上の欠点を解決するためのものである。
【課題を解決するための手段】
【０００５】　本体天上のプレート（１）に等間隔に３つの支持金具（２）と中央に吊り下げフック（３）を設ける。支持棒（４）には伸縮パイプ（６）と高さ調整ピン（５）を設け、伸縮自在構造とする。
　支持金具（２）と支持棒（４）は係合し、三脚を形成する。
　自在かぎ（７）は、吊り下げフック（３）に係合する。
　本考案は、以上の構成よりなる。
【考案を実施するための最良の形態】
【０００６】　以下、本考案の実施の形態を説明する。
　（イ）本体天上のプレート（１）の下部に等間隔に支持金具（２）と、中央に吊り下げフック（３）を設ける。
　（ロ）支持棒（４）の中に伸縮パイプ（６）を備え、高さ調整ピン（５）で長さを調節できる構造とする。
　（ハ）プレート（１）と支持棒（４）は、支持金具（２）で係合し三脚を構成する。
　（ニ）自在かぎ（７）は、立設した本体の吊り下げフック（３）に吊り下げて使用する。
　本考案は、以上の構成よりなっている。
　本考案を使用する時は、野営で熾した火を中心に三脚を立設し、傾斜や不整地に合わせて伸縮パイプ（６）を調整し、安定した姿勢に固定する。自在かぎ（７）を吊り下げフック（３）に吊り下げ、鍋や飯盒を自在かぎ（７）に吊り下げて火にかけて使用する。
【考案の効果】
【０００７】　本考案を使用することで、傾斜地や砂利地でも安定した姿勢で立設でき、また、火力調整も円滑にできる。なによりも軽量コンパクトで伸縮式なので可搬性に富み、容易に携帯できる。
【図面の簡単な説明】
【図１】　本考案の斜視図
【図２】　本考案の分解斜視図
【図３】　本考案の使用状態を示す斜視図
【図４】　本考案の他の実施例を示す斜視図
【符号の説明】
　１　プレート
　２　支持金具
　３　吊り下げフック
　４　支持棒
　５　高さ調整ピン
　６　伸縮パイプ
　７　自在かぎ
【図１】
0003099171.tif 000003
【図２】
0003099171.tif 000004
【図３】
0003099171.tif 000005
【図４】
0003099171.tif 000006
(57)【要約】
【課題】　多種類のミシン糸類の糸巻きを使用や取扱いに便利なるように工夫した糸巻き収納体の提供。
【解決手段】　縦寸法を凡そ２０ｃｍ〜４０ｃｍ、横寸法を凡そ３０ｃｍ〜５０ｃｍとなした長方形の基布体内表面に対し、透明な合成樹脂フィルムを使用して半円弧状の糸巻き収納ポケットを、上下及び横方向へ一定間隔で複数列に多数の並設状態に取付けしめる。
【選択図】　　　図１
0003099137.tif 000002
【実用新案登録請求の範囲】
【請求項１】
　縦寸法を凡そ２０ｃｍ〜４０ｃｍ、横寸法を凡そ３０ｃｍ〜５０ｃｍとなした長方形の基布体内表面に対し、透明な合成樹脂フィルムを使用して半円弧状の糸巻き収納ポケットを、上下及び横方向へ一定間隔で複数列に多数の並設状態に取付けしめたことを特徴とする糸巻き収納体。
【請求項２】
　透明な合成樹脂フィルムを基布体より長い寸法の帯状となし、その下方部に同様長さ寸法で帯状の布地を縫着すると共に、該布地端を長方形の基布体の横長さ方向へ縫着し、且つその両端及び長さ方向の適当間隔を同じく基布体へ縫着し、長さ方向へ多数の糸巻き収納ポケットを並列状に設けしめたことを特徴とする請求項１記載の糸巻き収納体。
【請求項３】
　透明な合成樹脂フィルムの上方部に色柄の縁布を縫着させたことを特徴とする請求項１又は２記載の糸巻き収納体。
【請求項４】
　長方形の基布体の横長さ寸法の端部に縛り紐を取付けたものとなしてあることを特徴とする請求項１，２又は３記載の糸巻き収納体。
【請求項５】
　糸巻き収納ポケットを１０個〜５０個となしてあることを特徴とする請求項１〜４の何れか１つに記載の糸巻き収納体。
【考案の詳細な説明】
【技術分野】
【０００１】
　本考案は、ミシン糸等の糸巻きを収納する糸巻き収納体に関するものである。
【背景技術】
【０００２】
　通常ミシン糸は裁縫箱の中に収納しているが、刺繍などを含めてその数が増えると裁縫箱に入りきらないため、適当な大きさの箱や引き出しを用意して、その中に収納したり、また、図４に示す如く、ミシン糸を立てる複数の支持棒Ｐが備えられたミシン糸収納ラックが使用されている。
【特許文献１】特公平２−６２２７７号
【考案の開示】
【考案が解決しようとする課題】
【０００３】
　しかしながら、箱や引き出しに収納した場合には中身ががたつき、持ち運びにも不便であり、ミシン糸収納ラックでは場所をとり持ち運びが出来ないという問題がある。
　そこで、本考案は、係る問題点を解決すべく、多数のミシン糸を収納でき持ち運びにも便利な糸巻き収納体の提供を目的とするものである。
【課題を解決するための手段】
【０００４】
　本考案に係る糸巻き収納体は縦寸法を凡そ２０ｃｍ〜４０ｃｍ、横寸法を凡そ３０ｃｍ〜５０ｃｍとなした長方形の基布体内表面に対し、透明な合成樹脂フィルムを使用して半円弧状の糸巻き収納ポケットを、上下及び横方向へ一定間隔で複数列に多数の並設状態に取付けしめるのであり、このさい透明な合成樹脂フィルムを基布体より長い寸法の帯状となし、その下方部に同様長さ寸法で帯状の布地を縫着すると共に、該布地端を長方形の基布体の横長さ方向へ縫着し、且つその両端及び長さ方向の適当間隔箇所を同様に基布体へ縫着し、長さ方向へ多数の糸巻き収納ポケットを並列状に設けしめる構成にする。このものでは一度に多数の糸巻き収納ポケットが作成されるものとなるのである。なお、長方形の基布体の横長さ寸法の端部には縛り紐を取付けしめるのであり、これは収納時に全体を渦巻状に巻き込んで縛り付けておくときに便利である。
【考案の効果】
【０００５】
　本考案は以上の通り構成するものであって、多数の糸巻きを収納できる。しかも基布が布製で巻き込めるため作業がし易く、保管場所をとらず持ち運びに便利で、且つ各収納ポケット体は透明部を有するため、収納した糸の色を中から取り出さないで外部から確認できるものとなり使い勝手が大変良い。
【考案を実施するための最良の形態】
【０００６】
　以下、図面に示す考案を実施するための最良の形態について説明する。
　図１は本考案に係る糸巻き収納体の斜視図で、図２は図１の糸巻き収納体にミシン糸を収納した状態の一部切り欠いた部分拡大図である。
【０００７】
　本考案に係る糸巻き収納体１は縦寸法を凡そ２０ｃｍ〜４０ｃｍ、横寸法を凡そ３０ｃｍ〜５０ｃｍとなした長方形の基布体１ａ内表面に対し、透明な合成樹脂フィルム２を使用して半円弧状の糸巻き収納ポケット３を、上下及び横方向へ一定間隔で複数列に多数の並設状態に取付けしめるのである。
【０００８】
　上記糸巻き収納ポケット３の作成については、次の如くなして行う。即ち、基布体１ａより長い寸法の帯状となした透明な合成樹脂フィルム２の下方部に同様長さ寸法で帯状の布地４を縫着させたものとなし、該布地４の下端縁及び合成樹脂フィルムを含む帯状全体の両側端を基布体１ａの内表面へ縫着５ａ、５ｂさせるものとなすのであり、また該帯体の内方部を適当間隔箇所で仕切り、縫着５ｃを行って円弧状に膨出するポケット３の多数が並設に形成されるものとなす。
【０００９】
　このさい、合成樹脂フィルム２の上端縁に対して色柄の縁取り布６を縫着させておくと、上記円弧状のポケット３の取入れ口が明確に察知できるものとなり、又フィルム端縁部がめくれたりすることなく収納動作が簡便且つ容易に行えるものとなる。
【００１０】
　上記の糸巻き収納ポケット３は基布体１ａの横長さ方向へ複数列に配設させるようになすと良く、このさい糸巻き収納ポケット３の個数は任意に設計することができるが、一般的に１０個〜５０個程度収納できるように設計する。
【００１１】
　上記構成の本考案に係る糸巻き収納体１は、その使用時には図１に示す如く展開した状態で使用するのであり、而して使用後は図３に示す如く渦巻き状に巻き込んだものとなす。このさい、その巻き込み状態を安全に保持するべく基布体１ａの片端には縛り紐７を取付けたものとなしてある。なお、図面で８は糸巻きである
【図面の簡単な説明】
【００１２】
【図１】本考案に係るミシン収納体の斜視図である。
【図２】図１のミシン糸収納体にミシン糸を収納した状態の一部切り欠いた部分拡大図である。
【図３】ミシン収納体を巻いて紐で結んだ状態の説明図である。
【図４】従来のミシン糸収納ラックの説明図である。
【符号の説明】
【００１３】
　１ａ　　基布体
　２　　　透明な合成樹脂フィルム
　３　　　収納ポケット
　４　　　帯状の布地
　５ａ，５ｂ，５ｃ　　縫着
　６　　　縁取り布
　７　　　縛り紐
　８　　　糸巻き
【図１】
0003099137.tif 000003
【図２】
0003099137.tif 000004
【図３】
0003099137.tif 000005
【図４】
0003099137.tif 000006
【手続補正書】
【提出日】平成15年7月10日(2003.7.10)
【手続補正１】
【補正対象書類名】図面
【補正対象項目名】図４
【補正方法】変更
【補正の内容】
【図４】
0003099137.tif 000007
(57)【要約】
【課題】
機械メーカー等から出荷された製品等は、その後目的場所に着くまでに、幾度
かクレーンによる積み卸し作業が行われるケースが多いが、その際にはその度
ごとに、クレーンで吊り上げる玉掛位置を見定める準備作業に相当時間を費や
しており、また作業の危険率も高く労働災害も多く見られる。
【解決手段】
最初のクレーン作業時に玉掛位置を決めた際、当該箇所に玉掛位置表示用粘着
テープを貼付し、玉掛位置を表示しておくことにより、以後の同作業において
は玉掛位置をその都度見定める準備作業も不要となり、容易にかつ安全に作業
が行われる。
【選択図】 図１
0003099139.tif 000002
【実用新案登録請求の範囲】
【請求項１】
一面に粘着剤を塗布したテープ基材の他面に緑十字の印し、玉掛位置の文字、矢印の記号及び切取表示線を各々印刷した玉掛位置表示用粘着テープ。
【考案の詳細な説明】
【技術分野】
【０００１】
　本考案は同一物品の玉掛作業を複数回行う場合の玉掛位置表示に関するものである。
【背景技術】
【０００２】
　従来は玉掛作業の都度毎に、玉掛位置を定める事前作業を必要としている。
【考案の開示】
【考案が解決しようとする課題】
【０００３】
　従来、機械メーカー等から出荷された機械、工作物、鉄骨等は、クレーン等を用いて貨　物自動車、貨物船等に積み込んで運搬し、荷卸しもクレーンを用いて行い、また組み立
　て、据付け作業時においてもクレーンを使用して移動を行っている。ところがクレーン
　で吊り上げる玉掛作業を行う場合に、ロープを掛ける玉掛位置が明確でない為に、積み
　卸し作業を行う都度毎に、クレーンまたはチェーンブロック等を使用して、仮に吊り上
　げる等の方法によって重心とロープを掛ける玉掛位置をまず定める事前作業が必要とな
　っており、それに相当の時間を費やして状況である。
また、重心が定まっていない機械等をクレーンで吊り上げた場合、吊り荷が振れて付近の
作業者に危害を加える率が高く、現に係る原因による労働災害も多数発生している。
【課題を解決するための手段】
【０００４】
一面に粘着剤を塗布したテープ基材の他面に緑十字の印し、玉掛位置の文字、矢印の記号
及び切取表示線を各々印刷した玉掛位置表示用粘着テープを最初のクレーン等による玉掛作業時に玉掛位置を定めた際に当該箇所に貼付し、玉掛位置を表示しておくことにより、以降の玉掛作業においては、重心等を見極め玉掛位置を見定める事前準備作業が不要となり、玉掛位置表示用粘着テープが貼付された箇所にロープ掛を行うことにより、容易にかつ安全に作業が出来る。
【考案の効果】
【０００５】
１．玉掛位置の表示があれば、すぐにロープが掛けられるので作業時間が大幅に短縮できる。
２．最初から安定した吊り方ができるので、荷振れがせず作業者が安全に作業ができる。
３．最初にロープを掛けるための準備作業が不要となるので、作業員が少なくてすみ、かつ、高度の技能を必要としない。
４．勝手な吊り方をされないために、吊り荷を損傷することがない。
【考案を実施するための最良の形態】
【０００６】
一面に粘着剤を塗布したテープ基材の他面に緑十字の印し、玉掛位置の文字、矢印の記号及び切取表示線を各々印刷した玉掛位置表示用粘着テープを最初のクレーン等による玉掛作業時に玉掛位置を定めた際に当該箇所に貼付し、玉掛位置を表示しておく。
【図面の簡単な説明】
【０００７】
【図１】本考案の一実施例を示す斜視図である。
【図２】本考案の一部欠裁正面図である。
【図３】本考案の使用例を示す正面図である。
【符号の説明】
【０００８】
　１　テープ基材
　２　粘着剤層
　３　緑十字の印
　４　玉掛位置の印
　５　矢印
　６　切取表示線の印
　７　テープ芯材
　８　貼付対象物
【図１】
0003099139.tif 000003
【図２】
0003099139.tif 000004
【図３】
0003099139.tif 000005
(57)【要約】【課題】座席の配置から実現が不可能だった全球映像施設を実現可能とする。【解決手段】球体Ｄの内壁をスクリーンとして全球に渡って映像を投映する映像施設において、球体の赤道付近に貫通窓Ｄ１を設け、上記貫通窓に対して座席２１を球体外より球体内に対して進退自在に配すると共に、座席は貫通窓から球体内に張り出した位置において前傾及び後傾させる。【選択図】　　　図１
0003099132.tif 000002
【実用新案登録請求の範囲】
【請求項１】
球体の内壁をスクリーンとして全球に渡って映像を投映する映像施設において、球体の赤道付近に貫通窓を設け、上記貫通窓に対して座席を球体外より球体内に対して進退自在に配すると共に、座席は貫通窓から球体内に張り出した位置において前傾及び後傾することを特徴とする全球型映像施設。
【請求項２】
球体の内壁をスクリーンとして全球に渡って映像を投映する映像施設において、球体の赤道付近に貫通窓を設け、上記貫通窓に対して座席を球体外より球体内に対して進退自在に配すると共に、座席は貫通窓から球体内に張り出した位置においてスクリーンに投映される映像の特定部分の位置に応じて前傾及び後傾するよう制御されることを特徴とする全球型映像施設。
【考案の詳細な説明】
【０００１】
【考案の属する技術分野】
この考案は映像施設に関し、より詳細には全球映像を鑑賞するための映像施設に関する。
【０００２】
【従来の技術】
球体の全面に映像が表示される全球映像の構想は古くからあり、究極の映像表現として位置づけられていた。
【０００３】
【考案が解決しようとする課題】
球体の全面に歪みのない映像を投映する技術は、この考案の出願時には既に確立されているが、球状のスクリーンを想定した場合、床面をドームが覆う半球状のドームスクリーンと異なりスクリーン内に観客を位置させる手段がなく、これが全天球映像を実現するためのネックとなっていた。
【０００４】
そのため、やむを得ず球体の外側に映像を表示し、それを外部から鑑賞することが提案されていたが、大きさ及びそれに適した映像の内容に限りがあり、更に球体の内部から鑑賞する場合に比し臨場感が大きく後退するという決定的な問題があった。
【０００５】
【課題を解決するための手段】
この考案は以上の従来技術の問題点に鑑みて創作されたものであり、球体の内壁をスクリーンとして全球に渡って映像を投映する映像施設において、球体の赤道付近に貫通窓を設け、上記貫通窓に対して座席を球体外より球体内に対して進退自在に配すると共に、座席は貫通窓から球体内に張り出した位置において前傾及び後傾することを特徴とする。
【０００６】
【考案の実施の形態】
以下、この考案の具体的実施例を添付図面に基づいて説明する。図１はこの発明の映像施設の全体を示す図である。図中符号Ｄは内面をスクリーン面とした中空の球体を指す。上記球体Ｄのスクリーン面には全球に渡ってプロジェクターにより映像が投映される。
【０００７】
全球に渡って映像を投映する手段はいくつかあるが、この実施例では複数のビデオプロジェクターによる投映像をつなぎ合わせて全球を包括する手段を採用している。即ち、ここでは図６（球体の側面図）及び図７（球体の平面図）に示すように、球体Ｄの壁面全周に複数台のプロジェクターＰを配置し、各プロジェクターの画像を対面するスクリーンの領域１〜１２に投映し、それらの画像をつなぎ合わせて全球を包括する。この場合、球面に投映した場合の歪みのために各映像を合成して一つの映像を構成することが不可能となるので、歪みの少ない投映像を得るために各プロジェクターから投映すべき画像に変形を加えて補正したり、色や照度を合わせたり、画像境界のボカシ処理等を電気的に行なう公知の方法を採用する。
【０００８】
以上の球体Ｄは映像施設の建物本体Ｂに合体した建築物として構築され、この実施例では内径２０ｍ程度のものを想定している。建物本体は複数階からなる複層構造を有し、球体Ｄの赤道付近に開口した貫通窓Ｄ１に合致するようにフロアーが設定される。ここでは、貫通窓Ｄ１に上下三層のフロアーを臨ませており、各フロアーに観客の座席２１が配される（図３参照）。
【０００９】
前記の各フロアーの床面Ｆは球体Ｄの貫通窓Ｄ１に望む先端が球体の曲率に合致した平面円弧状に構成されると共に（図２参照）、複数のレール２０が球体の中央に向かって放射状に配され、各レール上には動力により駆動される車輪２３により座席２１の支持ベース２２が進退自在に配される（図４及び図５参照）。
【００１０】
前記の支持ベース２２先端には軸２４により座席２１が前傾及び後傾方向に揺動自在に支持されると共に、動力機構（特に図示せず）に連結されるレバー２５により軸が駆動される。支持ベース２２はレール２０の最前方位置においては座席２１を支持した先端が球体Ｄ内部に張り出される。よって、この位置で軸２４を駆動して座席２１を前傾及び後傾させることにより、それに座っている観客Ａは球体の南極側或いは北極側を向くことになる。この実施例においては傾動角度としては上下±１５°程度を想定している。尚、この場合の観客Ａの座席よりの滑り落ちを防止するために、座席２１には観客Ａを拘束するための安全バー２６が設けられる。
【００１１】
前記の座席２１の傾動の制御は観客自身の操作や施設のオペレータの操作による他、上映する映像番組において特に観客の注意を集めたい映像の部分が存する球体内の位置に観客の視線が指向するように、演出プログラムと連動するように自動制御してもよい。又、座席を上下に連続的に揺動することにより、観客に空中で浮遊しているような錯覚を与えるようにしてもよい。
【００１２】
【考案の効果】
以上の構成よりなるこの考案によれば、従来座席の配置から実現が不可能だった全球映像施設が実現可能となり、球体内に位置する観客は３６０度包まれた映像に没入して今までにない高い臨場感を得ることが可能となる。
【図面の簡単な説明】
【図１】この考案の映像施設の一部切り欠き側面図
【図２】同上、要部の平面図。
【図３】同上、要部の側面図。
【図４】同上、座席付近の側面図
【図５】同上、座席付近の側面図
【図６】同上、球体における映像の分割例を示す側面図。
【図７】同上、球体における映像の分割例を示す平面図。
【符号の説明】
Ｄ　　　　球体
Ｄ１　　　貫通窓
２１　　　座席
【図１】
0003099132.tif 000003
【図２】
0003099132.tif 000004
【図３】
0003099132.tif 000005
【図４】
0003099132.tif 000006
【図５】
0003099132.tif 000007
【図６】
0003099132.tif 000008
【図７】
0003099132.tif 000009
(57)【要約】
【課題】犬猫烏による被害を防止し、ゴミ袋の散乱を防ぎ、交通の障害を無くし、町の美観と清潔を保つ。
【解決手段】６枚の金網Aとシートを用い、犬猫烏からの被害を防ぎ、連結具Cを装置することで、折畳可能とし、設置、撤去を容易にして、道路上の障害を少なくことができる。
【選択図】図３
0003099138.tif 000002
【実用新案登録請求の範囲】
【請求項１】
６枚の金網Aの片端5箇所を連結具Bで連結し、柵の折畳みを容易にするため1箇所に、軸間距離を延伸した連結具Cを使用することを特徴とする折畳式ゴミ集積柵。
【考案の詳細な説明】
【技術分野】
【０００１】
本考案は、一般家庭のごみ集積所として使用する、折畳式のゴミ集積柵である。
【背景技術】
【０００２】
従来、ゴミの集積所施設は、大型の固定式で費用、場所等の関係から、大半の一般家庭生ゴミは袋に入れられ、指定された、周辺の道路上の集積所に置かれており、犬猫や烏等による被害を受けているほか、ゴミ袋の散乱により、道路上の交通障害が生じている。
【特許文献１】実用新案登録第３０３２７４２号
【考案の開示】
【考案が解決しようとする課題】
【０００３】
この考案は、少ない費用で、場所に応じて設置でき、折畳むことにより、撤去、格納が容易で、犬猫や烏などによる被害を防止するほか、ゴミ袋の散乱を防ぎ道路上の交通障害を防止しようとするものである。
【課題を解決するための手段】
【０００４】
上記の目的に適合する設備として、６枚の金網Aを連結具B，Cで連結し、折畳み可能のゴミ集積柵を作成した。
【考案の効果】
【０００５】
犬猫や烏の習性に対応して地表に近い部分を金網で防護し、上面をシートで覆うことで被害を防止することが出来る。
【０００６】
本柵内にゴミ袋を重ねて集積することにより、従来に比し同一面積で２倍以上の集積が可能となる。
【０００７】
６枚の金網Aを使用することで設置する場所の地形に応じ三角形から四、五、六角形までの展開が可能である。 
【０００８】
使用後は、簡単に折畳み、撤去、格納できるので、交通などの障害にならない。
【０００９】
本柵を設置することにより、ゴミ袋の散乱を防ぎ、町の清潔と美観にも貢献できる。
【００１０】
　ビニールでコーティングした金網を使用することにより、夏場のゴミの蒸れを防ぎ、設備の汚れも等も水洗いで清潔に保つことができる。
【考案を実施するための最良の形態】
【００１１】
犬猫烏等からの被害、ゴミ袋の散乱、交通障害等を防止するという目的を、本柵により、設置及び撤去が簡便に、かつ、ゴミの集積量を大きくすることにより実現出来た。
【実施例】
【００１２】
図１〜図５において、金網Ａは、例えば塩化ビニール樹脂でコーティングしたものを用い、6枚の金網Aの各片端2箇所を連結具Bで折り曲げが可能の状態に連結する。
【００１３】
　金網Aの厚さ4枚以上に相当する軸間距離を有する連結具Cを、先に連結した6枚の金網Aの両端に取り付け、折り曲げが可能な状態に連結して、金網A６枚を、図2、図３の様に、全体を輪の状態に形成し集積柵として使用する。
【００１４】
使用後、格納のため折畳むには、図2の矢印の方向に折り曲げれば、図4のように簡単に折畳むことができる。
【００１５】
図3のように、展開し使用するには、図2に示した矢印の逆方向に展開する。
【図面の簡単な説明】
【００１６】
【図１】本設備の要部展開図である。
【図２】集積柵として本設備を展開した状態の平面図である。
【図３】集積柵として本設備を展開した状態の斜視図である。
【図４】本設備の折畳んだ状態の斜視図である。
【図５】本設備の折畳状態の連結状態を模式的に示した。
【符号の説明】
【００１７】
　　A　金網
　　B　連結具
　　C　連結具
【図１】
0003099138.tif 000003
【図２】
0003099138.tif 000004
【図３】
0003099138.tif 000005
【図４】
0003099138.tif 000006
【図５】
0003099138.tif 000007
(57)【要約】
【課題】地質調査において、数多くの調査用金属製パイプを地中に埋設し調査終了の時点で埋設したパイプを引抜かなければならない。従来の大掛かりな道具や機械では機動性や効率も悪く経済的な負担も大きい、そこで更に使いやすく作業者の負担を軽減できる道具が必要となってきた。
【解決手段】本考案は埋設パイプ３、引掛けハンドル２、テコ具１からなる。埋設パイプ３の長穴３ｂに引掛けハンドル２の引掛け爪２ａを掛ける、さらに引掛けハンドル２の溝２ｃを先端アール部１ｊとブイブロック１ｅによって挟み込む支点軸１ｂによって取っ手１ａを押し下げることで、作用軸１ｈにテコの原理で力が加わり埋設パイプ３は引抜かれる。以上のように３つの道具を使うことによって作業者の負担を減らすだけでなく電気などのエネルギー源を必要とせず効率的、経済的な問題も解決している。
【選択図】　図１
0003099148.tif 000002
【実用新案登録請求の範囲】
【請求項１】
　本用具は地中埋設パイプ、引掛けハンドル、テコ具の３つからなるもので、地中埋設パイプのプレートの穴に引掛けハンドルの爪を掛け、さらに引掛けハンドル本体支柱の溝部分をテコ具で挟み、テコの原理で硬い地中に埋設してあるパイプを引抜くための道具で楽に効率的で安全に作業が出来ることを特徴とした地中埋設パイプ引抜き用具である。
【考案の詳細な説明】
【考案の詳細な説明】
【技術分野】
【０００１】本考案はテコの原理などを使い地中に埋設された金属製のパイプを引抜くもので、地質調査に使用する道具に関するものである。
【背景技術】
【０００２】今回地質調査に関する規定が変わり、長さ約５００ミリの調査用パイプを数多く埋設し引抜く必要があり、地中深く埋設された調査用パイプを引抜く場合には大掛かりな道具や機械はあったが、地中浅く地盤が硬い場合には今まで特別な道具はなかった。
【考案が解決しようとする課題】
【０００３】作業に当たって、埋設されたパイプを数多く引抜く必要があり、大掛かりな道具や機械では経済的な負担も大きく機動性も効率も悪い。また既製の道具でスコップ、ペンチなどでは作業者の負担が大きく時間もかかる。従って、埋設パイプ、引掛けハンドル、テコ具の３つを組み合わせて使うことにより、安全で且つ作業者の負担を軽減し前述の欠点を解消しようとするものである。
【課題を解決するための手段】
【０００４】本考案は検査用の埋設パイプ、引掛けハンドル，テコ具の３つからなるもので埋設パイプ上部にプレートを設け、プレートには引掛け穴を明け、引掛けハンドルの爪が入るようにした。さらに引掛けハンドルの支柱本体には溝が数ヶ所あり、支柱本体はテコ具の回転爪が引掛けハンドルの溝に入ると同時にブイブロックとの間に挟まれ、テコの原理で埋設パイプを引抜くことで問題を解決している。
【実施例】
【０００５】以下、添付図面に従って実施例を説明する。１は金属製のテコ具である。２は金属製の引掛けハンドルである。３は金属製の埋設パイプである。【０００６】作業始めに埋設パイプ３は既に埋設されている状態にある。引掛けハンドル２のハンドル２ｄを持ち、プレート３ａの検査用穴３ｄにガイド２ｂを差し込む、次に引掛け爪２ａをプレート３ａの長穴３ｂ２ヶ所に入り込ませハンドル２ｆを回転させることで、プレート３ａに設けた面取り部分３ｃによって引掛け爪２ａがプレート３ａと地面との間に入り込み、よって埋設パイプは引拔ける状態になる
【図７】
参照。この時点でハンドル２ｆを手で持って楽に引抜けなければテコ具１を使う。
【０００７】　テコ具１には回転爪軸１ｆによって回転する回転爪１ｇがあり
【図９】
参照回転爪１ｇを指先で軽く上方に回転させ、ブイブロック１ｅとの間に引掛けハンドル２の支柱本体２ｇを挟み込ませ、引掛けハンドル２の溝２ｃに回転爪１ｇの先端アール部をはめ込ませる。溝２ｃは上端がエッジ２ｅになり下側はテーパ２ｄになっているため
【図６】
参照、回転爪１ｇの先端アール部１ｊが入り込むことでテコ具１の取っ手１ａを下方へ押し下げると支点軸１ｂによってテコの原理で溝２ｃのエッジ２ｅに強く引っ掛かり、引掛けハンドル２が引き上げられ、それと同時に埋設パイプ３も地面から引抜かれていく。更に順次下方の溝２ｃに移行し、テコ具１のハンドル１ａを上方へ戻すことで、回転爪１ｇの先端アール部１ｊは溝２ｃのテーパ部２ｄによって簡単に離脱し下方の溝２ｃへ移行が可能になる。更にこの動作をよりスムーズにするため、回転爪１ｇと回転爪軸１ｆには、溝２ｃを挟み込む回転方向にスプリング１ｉによって軽く回転力が加わるようにしてある。
【考案の効果】
【０００８】　上述のように本考案は、埋設パイプ、引掛けハンドル、テコ具の連係作用により軟らかい地盤のときは引掛けハンドルを使い腕力だけで引拔き、硬い地盤のときは、さらにテコ具を使いテコの原理で楽に引拔くことができる。これにより大掛かりな道具や機械などと比べて機動性、効率、経済的にも優れ、作業者の肉体的な疲労も大きく軽減することができる。
【図面の簡単な説明】
【０００９】
【図１】本考案の地中埋設パイプ引抜き用具の一実施例を示す斜視図である。
【図２】埋設パイプの斜視図である。
【図３】埋設パイプ長穴３ｂの断面図Ｃ−Ｃである。
【図４】引掛けハンドルの斜視図である。
【図５】引掛けハンドル斜視図のＡ−Ａ断面図である。
【図６】引掛けハンドル斜視図のＢ−Ｂ断面図である。
【図７】埋設パイプと引掛けハンドルの実施を示す斜視図である。
【図８】テコ具の斜視図である。
【図９】テコ具の拡大詳細図である。
【符号の説明】
【００１０】１　テコ具本体
１ａ　テコ具取っ手
１ｂ　支点軸
１ｃ　支柱
１ｄ　座板
１ｅ　ブイブロック
１ｆ　回転爪軸
１ｇ　回転爪
１ｈ　作用軸
１ｉ　スプリング
１ｊ　先端アール部
１ｋ　作用部ホルダー
２　引掛けハンドル本体
２ａ　引掛け爪
２ｂ　ガイド
２ｃ　溝
２ｄ　テーパ部
２ｅ　エッジ部
２ｆ　ハンドル
２ｇ　支柱
３　埋設パイプ本体
３ａ　プレート
３ｂ　長穴
３ｃ　面取り部
３ｄ　検査用穴
３ｅ　パイプ本体
【図１】
0003099148.tif 000003
【図２】
0003099148.tif 000004
【図３】
0003099148.tif 000005
【図４】
0003099148.tif 000006
【図５】
0003099148.tif 000007
【図６】
0003099148.tif 000008
【図７】
0003099148.tif 000009
【図８】
0003099148.tif 000010
【図９】
0003099148.tif 000011
(57)【要約】【課題】　切った物を入れる容器をまな板の外部に置くことをなくすことにより、キッチン台の上を広く使えるようにし、また、切ったものを他に移す際に取り扱いが簡単にできる受け皿付きまな板を提供する。【解決手段】　上記課題を解決するために、本考案は、少なくとも、二枚の板状部材、即ち、まな板と受け皿との組み合わせで構成されており、該まな板の下側に、板状または棒状の部材をまな板から伸長させて足部を形成し、足部の底部と、まな板下面との間に隙間を形成する。その際、受け皿の厚さが該隙間の高さ寸法以下であることを特徴とする受け皿付きまな板を提供する。【選択図】　図１
0003099150.tif 000002
【実用新案登録請求の範囲】
【請求項１】
　少なくとも、二枚の板状部材、即ち、まな板と受け皿との組み合わせで構成されており、該まな板の下側に、板状または棒状の部材をまな板から伸長させて足部を形成し、足部の底部と、まな板下面との間に隙間を形成する。その際、受け皿の厚さが該隙間の高さ寸法以下であることを特徴とする受け皿付きまな板。
【請求項２】
　受け皿上面を凹形にした請求項１に記載の受け皿付きまな板。
【請求項３】
　まな板の隙間を有する側の端部下面に、まな板端面に沿った溝を形成した請求項１〜２のいずれかに記載の受け皿付きまな板。
【請求項４】
　足部をまな板の下面の対向する両端部に形成し、其々の足部の内側に、まな板の面に沿って溝を形成したことを特徴とする請求項１〜３のいずれかに記載の受け皿付きまな板。
【請求項５】
　まな板の隙間を有する側の端部に、凹形の切り込みを付けたことを特徴とする請求項１〜４のいずれかに記載の受け皿付きまな板。
【考案の詳細な説明】
【考案の詳細な説明】
【０００１】　本考案は、まな板とまな板の下側に収納する受け皿とを組み合わせた、受け皿付きまな板に関する。
【背景技術】
【０００２】　従来、まな板の上で切った物は、別の容器を用意し、その中へ包丁又は手で掬って入れ、更に、その入れ物から鍋などに手や箸を使って入れていた。このため、まな板の傍らに容器を用意して置く必要があり、手間がかかっていた。また、容器を単独で置かなくてはならないのでスペースも必要となり、その分キッチン台が狭くなっていた。それを解決するものとして、まな板に取っ手をつけ、それを掴んで、まな板自体を持ち上げて、鍋の上まで運ぶようにしたものが提案されているが、まな板自体が重いので、主婦にとっては大きな負担となっていた。
【考案が解決し様とする課題】
【０００３】　本考案は、上記の問題を解決するもので、まな板の下側に受け皿を組み込むことにより、切った物を入れる容器をまな板の外部に置く必要を無くし、それによりキッチン台の上を広く使えるようにし、また、切った物を他に移す際に、取り扱いを容易するものである。
【課題を解決するための手段】
【０００４】　上記課題を解決するために、本考案は以下の各態様の受け皿付きまな板を提供する。１．少なくとも、二枚の板状部材、即ち、まな板と受け皿との組み合わせで構成されており、該まな板の下側に、板状または棒状の部材をまな板から伸長させて足部を形成し、足部の底部と、まな板下面との間に隙間を形成する。その際、受け皿の厚さが該隙間の高さ寸法以下であることを特徴とする受け皿付きまな板。２．受け皿上面を凹形にした上記１項に記載の受け皿付きまな板。３．まな板の隙間を有する側の端部下面に、まな板端面に沿った溝を形成した上記１〜２項のいずれかに記載の受け皿付きまな板。４．足部をまな板の下面の対向する両端部に形成し、其々の足部の内側に、まな板の面に沿って溝を形成したことを特徴とする上記１〜３項のいずれかに記載の受け皿付きまな板。５．まな板の隙間を有する側の端部に、凹形の切り込みを付けたことを特徴とする上記１〜４項のいずれかに記載の受け皿付きまな板。
【考案を実施するための最良の形態】
【０００５】　以下、図面を参照しながら本考案の各種態様に係る受け皿付きまな板に関して説明する。　図１は本考案の一態様に係る受け皿付きまな板の構造を示す斜視図と断面図である。　図１−ａはまな板１の下側に、板状又は棒状部材（図１−ａでは板状部材）からなる足部２を接合して、足部２の低部と、まな板１の下面との間に隙間３が形成されている。この場合、図２−ｂで示すように、板状部材をまな板１の下面に接合して、厚みを増やす形で一体化させて形成しても良いし、また、棒状部材で形成しても良い。要件は、足部２を接合することにより、まな板１とまな板を置くキッチン台４との間に隙間３を形成することである。また、図１−ｃで示すように、他一枚の受け皿５は皿の厚さが隙間３の寸法以下になっており、まな板１の下側に収納できるようになっている。実施上、受け皿５は平滑なものでも良いし、上面が凹形になっているものでも良い。また、受け皿５の端部には取っ手６を付けても良い。また、受け皿５は硬い材質のものである必要はなく、軟質のものであっても構わない。　また、他の態様として図２に示すように、まな板１の隙間３を有する側の端部下面に、まな板端面７に沿った溝８を形成することができる。このようにすると、切った時に出る液体が先端部に流れた時、溝８によってまな板１の下面に回ることが防がれる。　また、他の態様として図３に示すように、足部２をまな板１の下面の対向する両端部に形成し、其々の足部の内側に、まな板の面に沿って溝８を形成することができる。このようにすると、溝８に受け皿５の両端部を嵌めこむことができ、まな板１を持った際、受け皿５も併せて保持できる。　また、他の態様として図４で示すように受け皿５の両端部に、バネ状部材９を取り付けることができる。このようにすると受け皿５が上記溝８を内側から押さえ、簡単に抜け落ちることが防がれる。実施上、このバネ状部材の材質は金属であってもプラスチックであっても構わない。　また、他の態様として図５で示すようにまな板１の隙間を有する側の端部に、凹形の切り込み１０を付けても良い。このようにすると受け皿を入れたまま、切った物を入れることができるので好ましい。
【考案の効果】
【０００６】　本考案に係る受け皿付きまな板によれば、まな板の下側に受け皿を組み込むことにより、まな板の上のごみなどを手早く受け皿に入れてまな板の下側に収納して置くことができ、そのため常にまな板の上を広く使えるようになり、また、必要な時に受け皿を出して使うことができるので、キッチン台も常に広くして使用することができる。
【図面の簡単な説明】
【図１】本考案の一態様に係る受け皿付きまな板の構造を示す斜視図と断面図である。
【図２】本考案の一態様に係る受け皿付きまな板における下面先端部の構造を示す断面図である。
【図３】本考案の一態様に係る受け皿付きまな板の足部の内側の形態を示す図である。
【図４】本考案の一態様に係る受け皿付きまな板の固定方法の一形態を示す図である。
【図５】本考案の一態様に係る受け皿付きまな板の一形態を示す図である。
【符号の説明】
１　　まな板２　　足部３　　隙間４　　キッチン台５　　受け皿６　　取っ手７　　まな板端面８　　溝９　　バネ状部材１０　切り込み
【図１】
0003099150.tif 000003
【図２】
0003099150.tif 000004
【図３】
0003099150.tif 000005
【図４】
0003099150.tif 000006
【図５】
0003099150.tif 000007
(57)【要約】【課題】　紙巻きたばこに含まれるニコチンとタールを吸着するフィルターは、現在市販されている通常の紙巻きたばこにおいては，全体の約３５％と比較的短かいため、これに多くのニコチンとタールの吸着を期待することは無理である。従って、これを永年常用する場合には必ず健康への悪影響を生ずることを免れない。【課題を解決するための手段】　このため本考案においては、フィルター部分の長さを少なくとも全体の５０％以上とし、たばこ葉の部分を全体の５０％以下とするものである。【選択図】　図１
0003099189.tif 000002
【実用新案登録請求の範囲】
【請求項１】
　たばこの葉の部分と、これに隣接した味を軽くすると共にたばこ葉に含まれるニコチンとタールを吸着するフィルターとを同時に紙で巻いた紙巻きたばこにおいて、フィルターの部分を全体の５０％以上とし、たばこ葉の部分を全体の５０％以下とすることを特徴とする紙巻きたばこ。
【考案の詳細な説明】
【考案の詳細な説明】
【技術分野】
【０００１】　この考案は、紙巻きたばこの構造に関するものである。
【背景技術】
【０００２】　たばこは、一般に嗜好品として昔から広く用いられているが、それに含まれるニコチンは吸いすぎによる中毒の原因であると共に、最近は同じく含まれるタールは癌との結びつきが問題とされている。【０００３】　その対策として一般の紙巻きたばこには、ニコチンとタールを吸着するフィルターが用いられる。すなわち、刻んだたばこ葉の部分に続いて、ニコチンとタールを吸着するアセテートを主としたフィルター部分を並べ、その両者を同時に紙で巻いて紙巻きたばこは構成されている。
【考案が解決しようとする課題】
【０００４】　このフィルターは、たばこの味を軽くすると共に、たばこのニコチンとタールの害を防ぐことを目的としているが、現在市販されている紙巻きたばこのフィルターは、通常ニコチンとタールの約２０〜５０％を吸着するが、喫煙によるニコチンの摂取量は、喫煙のしかたによっても大きく異なる。
【０００５】　すなわち、一般にたばこを口もとまで深く吸う場合は、半分程度まで軽くふかす場合の数十倍のニコチンが体内に摂取されると言われる（株式会社小学館発行、日本百科大辞典）。　そして現在市販されている通常の紙巻きたばこに付いているフィルターは、全体の約３５％と比較的短かく少量であり、これに多くのニコチンとタールの吸着を期待することは無理である。従って、これを永年常用する場合には必ず健康への悪影響を生ずることを免れない。
【課題を解決するための手段】
【０００６】　本考案はこの点に着目して、紙巻きたばこのニコチンとタールを吸着するフィルター部分の長さを長くして少なくとも全体の５０％以上とし、これに対してたばこ葉の部分を全体の５０％以下とするものである。
【考案の効果】
【０００７】　　このようにすることによって、喫煙時の煙が全体の５０％以上の長さのフィルターを通過する間にニコチンとタールの３０〜７０％以上が吸着され、人体に及ぼす悪影響を充分防ぐことが出来ると共に、その外以下のような種々の効果を期待することができる。１．ニコチンとタール摂取量の減少により健康への配慮が自然におこなわれると共に、節煙、禁煙への契機となる。２．吸い残し量が減少し、これを下水等に投じることによりニコチンの元のアルカロイドの滲出で環境が破壊されるのを防ぐ。３．１本当たりのたばこ葉の減少によりたばこ資源の節約となる。
【図面の簡単な説明】
【０００８】
【図１】図１は、本考案紙巻きたばこの斜視図。
【図２】図２は、現在市販されている通常の紙巻きたばこの側面図。
【符号の説明】
【０００９】１　たばこ葉の部分１′　〃　　〃　　２　フィルター部分２′　〃　　〃
【図１】
0003099189.tif 000003
【図２】
0003099189.tif 000004